(57)【特許請求の範囲】
【請求項１】
観察サンプルを載置する可動テーブルをウォーキング形ピエゾモータにより駆動するピエゾステージと、前記ピエゾステージの移動を制御するステージ制御装置を有するステージ装置において、
前記ステージ制御装置は、前記ピエゾステージの前記ウォーキング形ピエゾモータを駆動する指令電圧標準データと、前記ウォーキング形ピエゾモータの出力に一定速度を与える様に予め測定した前記ピエゾモータの変位または速度から求めた指令電圧出力タイミング補正データと、少なくとも前記指令電圧標準データおよび前記指令電圧出力タイミング補正データから指令電圧出力タイミングを変化させた、前記ウォーキング形ピエゾモータを駆動する指令電圧を生成する指令電圧生成部を有するとともに、前記指令電圧出力タイミング補正データを、指令電圧標準波形データを一定の出力タイミングで１周期分以上ピエゾステージに入力し、その変位または速度を計測器で測定し、各分割点間での移動距離を求めて指令速度ｖ（一定値）で除算し、各分割点での指令電圧出力タイミング補正データを最初の分割点ｉ＝０から１周期分の分割点ｎまで求め、指令電圧出力タイミング補正データのテーブルを生成することにより求めることを特徴とするステージ装置。
【請求項２】
請求項１に記載のステージ装置において、前記ステージ制御装置は、さらに前記指令電圧生成部からの指令電圧を出力する指令電圧出力部を有することを特徴とするステージ装置。
【請求項３】
請求項１又は２に記載のステージ装置において、前記ステージ制御装置は、さらに上位計算機からのコマンドを処理するコマンド処理部を有することを特徴とするステージ装置。
【請求項４】
請求項１乃至３のいずれかに記載のステージ装置において、前記ステージ装置は、前記観察サンプルの変位を測定する変位測定器と、前記ウォーキング形ピエゾモータの出力を一定速度に補正する補正データ生成部を有することを特徴とするステージ装置。
【請求項５】
請求項１乃至４のいずれかに記載のステージ装置において、前記ステージ装置は、前記ピエゾステージと前記ステージ制御装置の間にフィードバック制御手段を設け、該フィードバック制御手段は、可動質量変化若しくは経年劣化に基づき、前記指令電圧出力タイミング補正データ、または前記指令電圧補正波形データを更新することを特徴とするステージ装置。
【請求項６】
請求項１乃至５のいずれかに記載のステージ装置を備え、前記観察サンプルを観察する観察部を有することを特徴とする荷電粒子装置又は光学顕微鏡からなる観察装置。
【発明の詳細な説明】
【技術分野】
【０００１】
本発明は、ウォーキング型ピエゾモータを用いたステージ装置、およびこれを用いた電子顕微鏡または光学式顕微鏡等の観察装置に関わる。
【背景技術】
【０００２】
たとえば走査型電子顕微鏡（ＳＥＭ）等の荷電粒子装置では、サンプルを高精度かつ超低速で駆動させながら観察を行うために、サンプルを載せる位置決め装置(ステージ)には、高い位置決め精度と速度安定性が必要とされている。
【０００３】
例えば、半導体ウェハの検査に用いられるＳＥＭでは、ウェハはステージに固定され、ステージはＳＥＭの画像を観察しながら観察位置まで超低速で正確に移動位置決めされ、ウェハの画像が取得される。この際、ステージの速度安定性が悪化するとＳＥＭによる観察位置を正確に決めることができない。このため、移動速度を安定させて位置決めすることが可能なステージ装置が要求される。
【０００４】
従来のステージの位置決め機構としては、ステッピングモータによりボールネジを回転させ、ステージを移動する位置決め装置が広く使われている。しかし、この方式では順送り方向の速度安定性は高いが、ステージの移動方向を反転させた場合には、ボールネジとナットとの噛み合い誤差、ボールネジの弾性変形、ステッピングモータの回転誤差等により、反転直後に移動指令に対してステージが動かないか、或いは移動量が指令値より小さくなるバックラッシュが発生し、高精度位置決めができず、このことが操作性の阻害要因の一つとなっている。
【０００５】
このような位置決め誤差を解決するために、例えば特許文献１には圧電素子（電歪素子）で構成される超音波モータを可動テーブル下面に直接取り付け、ステージを直接駆動する構成が開示されている。特許文献１ではステージ下面に駆動伝達面を設けて圧電素子を押し付け、電圧印荷時の圧電素子のせん断変形を利用して駆動伝達面をステージ移動方向に直線的に移動させることにより、ステージを駆動する。
【先行技術文献】
【特許文献】
【０００６】
【特許文献１】特開２００４−２８８９１８号公報
【発明の概要】
【発明が解決しようとする課題】
【０００７】
特許文献１では、複数のピエゾ素子から構成したピエゾ駆動体を２個用いて、各ピエゾ駆動体を交互に位置決め対象可動物に接触・離反させるウォーキング動作駆動ユニットを構成し、ウォーキング動作を用いて移動制御上の誤差をより正確に補正できるようにし、信頼性の高い極めて高精度な位置決めを実現できるアライメント装置の制御方法について記載されている。
【０００８】
しかしながら、特許文献１では高精度な位置決めを行うために停止時の位置決め誤差を補正するだけであり、速度安定性については保証していない。
【０００９】
また、ＳＥＭにおいては、対物レンズ直下にＸＹステージを配置し、観察サンプルはＸＹステージ上の可動テーブルに固定される。ここで、高倍率に拡大された計測視野において、観察しながらＸＹステージ上の可動テーブルを駆動し観察サンプルを位置決めする。しかし、ステージ移動時の速度安定性が悪いと観察者が位置決めのアプローチを行う際に操作性が悪く、高精度な位置決めを行うことが困難であるという問題がある。
【課題を解決するための手段】
【００１０】
本発明の一態様によれば、観察サンプルを載置する可動テーブルをウォーキング形ピエゾモータにより駆動するピエゾステージと、ピエゾステージの移動を制御するステージ制御装置を有するステージ装置において、ステージ制御装置は、ピエゾステージのウォーキング形ピエゾモータを駆動する指令電圧標準データと、ウォーキング形ピエゾモータの出力に一定速度を与える様に予め測定した指令電圧出力タイミング補正データと、少なくとも指令電圧標準データおよび指令電圧出力タイミング補正データからウォーキング形ピエゾモータを駆動する指令電圧を生成する指令電圧生成部を有するステージ装置が提供される。
【発明の効果】
【００１１】
本発明に係るステージ装置によれば、ピエゾステージのウォーキング形ピエゾモータを駆動する指令電圧標準データと、ウォーキング形ピエゾモータの出力に一定速度を与える様に予め測定した指令電圧出力タイミング補正データと、少なくとも指令電圧標準波形データおよび指令電圧出力タイミング補正データからウォーキング形ピエゾモータを駆動する指令電圧を生成する指令電圧生成部を有するステージ制御装置を備えることにより、位置決めする際にステージの速度を一定に安定させ、高精度な位置決めを行うことができる。
【図面の簡単な説明】
【００１２】
【図１】本発明の実施例１を示すステージ装置のシステム構成図。
【図２】本発明で用いるピエゾ素子の動作を示す説明図。
【図３】本発明で用いるウォーキング型ピエゾモータを示す説明図。
【図４】ウォーキング型ピエゾモータ速度応答波形を示すグラフ。
【図５】ウォーキング型ピエゾモータ指令電圧に対する速度応答を示すグラフ。
【図６】ウォーキング型ピエゾモータ指令電圧に対する変位応答を示すグラフ。
【図７】本発明の実施例１における指令電圧出力タイミング補正データを求めるフローチャート。
【図８】本発明の実施例１における変位応答を示すグラフ。
【図９】本発明の実施例２における指令電圧補正波形データの生成方法を示す模式図。
【図１０】本発明の実施例２における指令電圧補正波形データを備えたステージ装置のシステム構成図。
【図１１】本発明の実施例３における荷電粒子装置の模式図。
【発明を実施するための形態】
【００１３】
以下に本発明の実施例を図面について説明する。
【実施例１】
【００１４】
〔ステージ装置の構成〕
本発明の実施例１として、指令電圧の可変出力タイミング機能を持つピエゾモータを用いたステージ装置について説明する。
【００１５】
図１において、ピエゾステージ１は、可動体であるウォーキング型ピエゾモータ１０２と、ピエゾモータに取り付けられる搬送部材である可動テーブル１０１とを備えている。１０は観察サンプル、１０３は固定子である。ピエゾステージ１はステージ制御装置３によってモータ駆動部２を介して制御されている。
【００１６】
ステージ制御装置３は、上位計算機６からの速度や移動距離のコマンドによって、指令値を出力する。ステージ制御装置３には、コマンド処理部３０１と、指令電圧生成部３０２と、指令電圧出力部３０３と、例えばメモリ等に保持された指令電圧標準波形データ３０４と指令電圧出力タイミング補正データ３０５とを備えている。指令電圧生成部３０２は、指令電圧標準波形データ３０４と指令電圧出力タイミング補正データ３０５から、ピエゾモータを駆動する指令電圧を生成する。この生成された指令電圧により、ピエゾモータのアナログ電圧出力タイミングを制御することにより、高い位置決め精度と速度安定性を持つ駆動を実現させる。Ｃは測定装置、５は測定データ処理部、４は補正データ生成部である。
〔ピエゾモータの駆動原理〕
次に、ウォーキング型ピエゾモータの動作原理について説明する。図２に示すように、ウォーキング型ピエゾモータは、貼り合わせた左右一対のピエゾ素子７への印加電圧差を利用して屈曲するバイモルフ型のピエゾ素子を２本以上用いたピエゾモータである。特に２足歩行動作を行う可動体ユニットについて説明する。
【００１７】
図３はウォーキング型ピエゾモータの駆動における可動体のピエゾ素子と指令電圧波形の関係を示している。ウォーキング型ピエゾモータは、指令電圧によりピエゾ素子の左右の伸縮量を制御することにより左右方向の屈曲量を制御し、それによって地面を歩くように可動体９の移動を制御できる。例えば、ピエゾ素子Ａが固定子８に接触して動いている間に可動体９は移動し、その間にピエゾ素子Ｂは振り戻り動作を行う。また、その指令電圧波形の周期を変えることで速度を制御する。
〔変位応答と速度応答〕
図４は、指令電圧生成部３０２から指令電圧波形を一定の出力タイミングで４周期分入力した際のピエゾモータの速度応答波形を示す。図４から可動体の速度が指令速度に対して変動が大きいことがわかる。その理由は、ピエゾ素子の角度や長さ、特に屈曲量にばらつきが生じるために速度安定性が悪化するためである。
【００１８】
次に、図４の速度応答波形において、移動開始時と移動終了時の速度応答波形をそれぞれ半周期ずつ除いて３周期分を取り出し、１周期分毎に実測速度を重ねて表示したグラフを図５に示す。また、同様に１周期分毎に実測変位を重ねて表示したグラフを図６に示す。
【００１９】
図５、図６から１周期目から３周期までの速度応答と変位応答の波形形状が、それぞれほぼ一致していることがわかる。すなわち、ピエゾモータの速度応答と変位応答には周期性があり、その周期は指令電圧波形の周期と一致している。このような周期性は、駆動位置や速度によらず確認できる。そこで、本発明ではこの周期性を利用して、事前に計測したピエゾモータの変位または速度から予め指令電圧出力タイミング補正データを求め、指令電圧出力タイミングを制御することにより、速度安定性が高い駆動を可能とする。特に、事前に計測したピエゾモータの変位または速度から予め指令電圧出力タイミング補正データを求め、指令電圧出力タイミングを可変制御する。例えば、ステージのモータを駆動する指令電圧標準データと、モータに一定速度の出力を与える様に予め測定した指令電圧出力タイミング補正データと、少なくとも指令電圧標準データおよび指令電圧出力タイミング補正データから指令電圧出力タイミングを変化させた、モータを駆動する指令電圧を生成する指令電圧生成部を有する。
〔指令電圧出力タイミングの補正〕
ここで、指令電圧標準波形データの分割数をｎ、指令電圧出力タイミング補正データの分割タイミング（Ｄ／Ａ出力タイミング）をΔｔ、分割点ｉの計測変位をｙ
［ｉ］、分割点ｉの計測速度をｖ［ｉ］とする。速度安定性が高い駆動を実現するために、分割点ｉの速度が指令速度ｖ（一定値）に一致するように、指令電圧出力タイミング補正データを次式により求める。
〔数１〕
Δｔ［ｉ］＝（ｙ［ｉ＋１］−ｙ［ｉ］）／ｖ            ・・・（１）
図７に、上記式（１）によって、１周期分の指令電圧出力タイミング補正データを求める方法のフローチャートを示す。指令電圧標準波形データを一定の出力タイミングで１周期分以上ピエゾステージに入力し、その変位または速度を計測器で測定し（ステップＳ１０）、各分割点間での移動距離（ｙ［ｉ＋１］−ｙ［ｉ］）を求めて指令速度ｖ（一定値）で除算し（Ｓ４０）、各分割点での指令電圧出力タイミング補正データを求める。この計算を最初の分割点ｉ＝０から１周期分の分割点ｎまで求め（Ｓ２０、Ｓ３０、Ｓ５０）、指令電圧出力タイミング補正データのテーブルを生成する（Ｓ６０）。
【００２０】
図８に、各分割点の指令電圧波形を、求めた指令電圧出力タイミング補正データによってＤ／Ａ出力した場合の、指令電圧波形データ及び変位データの実測値を示す。図８に示したように、式（１）で示すとおり実測変位はほぼ一直線上に並んでおり、指令電圧出力タイミング補正データで出力タイミングを可変制御することで、高い速度安定性が得られている。
［本実施例に係る効果］
本実施例によれば、以下に記す（ａ）〜（ｃ）のうちの一つ又は複数の効果を奏する。
（ａ）ステージ装置において、ピエゾステージのウォーキング形ピエゾモータを駆動する指令電圧標準データと、ウォーキング形ピエゾモータの出力に一定速度を与える様に予め測定した指令電圧出力タイミング補正データと、少なくとも指令電圧標準波形データおよび指令電圧出力タイミング補正データからウォーキング形ピエゾモータを駆動する指令電圧を生成する指令電圧生成部を有するステージ制御装置を備えることにより、位置決めする際にステージの速度を一定に安定させ、高精度な位置決めを行うことができるステージ装置を提供することができる。
（ｂ）モータ駆動部に与えるアナログ電圧を可変タイミング出力することにより、位置決めする際に搬送部材のステージの速度を一定に安定させ、高精度な位置決めを行うことができる。
（ｃ）ステージ制御装置が、指令電圧出力タイミング補正データに基づいて、一定出力タイミングでウォーキング形ピエゾモータに与えられモータ出力を一定速度とする指令電圧補正波形データを生成し、指令電圧生成部は指令電圧標準波形データおよび指令電圧補正波形データからウォーキング形ピエゾモータを駆動する指令電圧を生成することにより、位置決めする際に搬送部材のステージの速度を一定に安定させ、高精度な位置決めを行うことができる。
【実施例２】
【００２１】
〔指令電圧波形の補正〕
また、本発明において、図８に示したような直線的変位を得られるように補正された指令電圧波形（以下、指令電圧補正波形）でウォーキング型ピエゾモータを駆動すれば同じ効果が得られる。そこで、得られた指令電圧補正波形を一定の出力タイミングでＤ／Ａ出力することによっても、速度安定性が高い駆動を実現できる。
【００２２】
実施例２は上記の方式でピエゾモータを駆動制御する例を示す。すなわち、図９に示すように、補正データ生成部４において三角印で示す指令電圧出力タイミング補正データを基に、一定の出力タイミングの分割点での指令電圧を線形補間によって求め、丸印でしめす一定の出力タイミングで駆動可能な指令電圧補正波形データを生成することが可能である。
【００２３】
ステージ装置における指令電圧補正波形データ３０６の利用方法を図１０に示す。ステージ制御装置３において、図１に示す指令電圧出力タイミング補正データ３０５に替えて、図１０では指令電圧補正波形データ３０６を用いる。
【００２４】
なお、本発明の駆動方式は、事前にピエゾ素子の変位または速度を計測し、その計測結果を用いて、指令電圧出力タイミング補正データ、または指令電圧補正波形データを求め、オープンループ制御で制御を行う。従って、ピエゾ素子の角度や長さ、特に屈曲量のばらつきについて補償しているが、外乱や可動質量の変化には対応できない。そこで、その補償を行うためにリニアスケール等を用いてフィードバックループを構成することも可能である。このフィードバックループを構成することにより、可動質量変化若しくは、経時変化に基づき、指令電圧出力タイミング補正データ、または指令電圧補正波形データの更新をも行うことができる。
【００２５】
さらに、この駆動方式は、周期的な変動を持つモータであれば、ウォーキング型ピエゾモータ以外にも適用可能である。例えば、ステッピングモータでも適用可能となる。ステッピングモータを適用する際には、好適にはボールねじステージを適応すると良い。ボールねじステージを適用することで、ピッチ誤差と呼ばれる、ボールねじ１回転の周期的な誤差に対して、補正することが可能となる。このときのモータを駆動する指令電圧標準データは、波形データではなく、パルスデータとなる。すなわち、指令電圧標準データとしては、指令電圧標準波形データのみならず、パルスデータのようなその他のデータでも適用可能となる。
なお、指令電圧標準データとして、指令電圧標準波形データを用いると、ステージ速度変動との対応がオシロスコープなどで測定することにより、対応させやすいなどの利点がある。
［本実施例に係る効果］
本実施例によれば、実施例１に記載の効果、又は、以下に記す（ａ）のうちの一つ又は複数の効果を奏する。
（ａ）ステージ装置において、ピエゾステージのウォーキング形ピエゾモータを駆動する指令電圧標準データと、ウォーキング形ピエゾモータの出力に一定速度を与える様に予め測定した指令電圧出力タイミング補正データと、少なくとも指令電圧標準波形データおよび指令電圧出力タイミング補正データからウォーキング形ピエゾモータを駆動する指令電圧を生成する指令電圧生成部を有するステージ制御装置を備えることにより、位置決めする際にステージの速度を一定に安定させ、高精度な位置決めを行うことができる。
【実施例３】
【００２６】
次に、図１１に示す実施例３において、本発明の制御方法を備えたステージ装置を適用した観察サンプルを観察する観察部を有する荷電粒子装置について説明する。
【００２７】
図１１において、荷電粒子装置の例として、観察サンプル１０を高倍率で解析する観察装置としてＳＥＭ１４について説明する。対物レンズ１１直下に観察サンプル１０をＸＹステージ１２上の可動テーブル１３に固定する。ここで、上記ステージ装置で駆動されるＸＹステージ１２を計測視野に観察しながら移動させることにより、観察サンプル１０を撮像または解析する。しかし、ＸＹステージ１２の速度安定性が悪化すると、ＳＥＭ１４による観察位置を正確に決めることができない。
【００２８】
そこで、図１または図１０に示した本発明の制御装置を備えたステージ装置を採用することで、高い速度安定性が確保でき、ＳＥＭの操作性向上が図れるとともに、高精度な位置決めを行うことができる。
【００２９】
また、図１、または図１０の制御装置を用いることで、高い速度安定性をオープンループ制御で実現するために、高価なサーボモータやセンサを使用せずにステージ装置の性能を最大限に引き出すことができ、装置コストの低減が可能となる。
【００３０】
さらに、この制御装置の適用は上述した荷電粒子装置に限定されず、その他の荷電粒子装置や、光学式顕微鏡等の観察装置でも同様の効果が得られることは明らかである。
［本実施例に係る効果］
本実施例によれば、実施例１、実施例２に記載の効果、又は、以下に記す（ａ）のうちの一つ又は複数の効果を奏する。
（ａ）本発明のステージ装置を搭載した荷電粒子装置、光学式顕微鏡の操作性向上を図ることができる。
［本発明の好ましい態様］
以下に、本発明の好ましい態様について付記する。
【００３１】
本発明の第１の態様は、観察サンプルを載置する可動テーブルをウォーキング形ピエゾモータにより駆動するピエゾステージと、前記ピエゾステージの移動を制御するステージ制御装置を有するステージ装置において、
前記ステージ制御装置は、前記ピエゾステージの前記ウォーキング形ピエゾモータを駆動する指令電圧標準データと、前記ウォーキング形ピエゾモータの出力に一定速度を与える様に予め測定した指令電圧出力タイミング補正データと、少なくとも前記指令電圧標準データおよび前記指令電圧出力タイミング補正データから前記ウォーキング形ピエゾモータを駆動する指令電圧を生成する指令電圧生成部を有するステージ装置である。
【００３２】
また、本発明の第２の態様は、観察サンプルを載置する可動テーブルをウォーキング形ピエゾモータにより駆動するピエゾステージと、前記ピエゾステージの移動を制御するステージ制御装置を有するステージ装置において、
前記ステージ制御装置は、前記ピエゾステージの前記ウォーキング形ピエゾモータを駆動する指令電圧標準データと、前記ウォーキング形ピエゾモータの出力に一定速度を与える様に予め測定した指令電圧出力タイミング補正データと、少なくとも前記指令電圧標準データおよび前記指令電圧出力タイミング補正データから指令電圧出力タイミングを変化させた、前記ウォーキング形ピエゾモータを駆動する指令電圧を生成する指令電圧生成部を有するステージ装置である。
【００３３】
また、本発明の第３の態様は、観察サンプルを載置する可動テーブルをウォーキング形ピエゾモータにより駆動するピエゾステージと、前記ピエゾステージの移動を制御するステージ制御装置を有するステージ装置において、
前記ステージ制御装置は、前記ピエゾステージの前記ウォーキング形ピエゾモータを駆動する指令電圧標準波形データと、前記ウォーキング形ピエゾモータの出力に一定速度を与える様に予め測定した指令電圧出力タイミング補正データと、少なくとも前記指令電圧標準波形データおよび前記指令電圧出力タイミング補正データから前記ウォーキング形ピエゾモータを駆動する指令電圧を生成する指令電圧生成部を有するステージ装置である。
【００３４】
好ましくは、前記ステージ制御装置は、前記指令電圧出力タイミング補正データに基づいて、一定出力タイミングで前記ウォーキング形ピエゾモータに与えられモータ出力を一定速度とする指令電圧補正波形データを生成し、前記指令電圧生成部は前記指令電圧標準波形データおよび前記指令電圧補正波形データから前記ウォーキング形ピエゾモータを駆動する指令電圧を生成する。
【００３５】
さらに好ましくは、前記ステージ制御装置は、さらに前記指令電圧生成部からの指令電圧を出力する指令電圧出力部を有する。
【００３６】
さらに好ましくは、前記ステージ制御装置は、さらに上位計算機からのコマンドを処理するコマンド処理部を有する。
【００３７】
さらに好ましくは、前記ステージ装置は、前記観察サンプルの変位を測定する変位測定器と、前記ウォーキング形ピエゾモータの出力を一定速度に補正する補正データ生成部を有する。
【００３８】
さらに好ましくは、前記ステージ装置は、前記ピエゾステージと前記ステージ制御装置の間にフィードバック制御手段を設け、該フィードバック制御手段は、可動質量変化若しくは経年劣化に基づき、前記指令電圧出力タイミング補正データ、または前記指令電圧補正波形データを更新する。
【００３９】
さらに好ましくは、前記観察サンプルを観察する観察部を有する荷電粒子装置又は光学顕微鏡からなる観察装置である。
【００４０】
また、本発明の第４の態様は、観察サンプルを載置する可動テーブルをモータにより駆動するステージと、前記ステージを駆動するステージ制御装置を有するステージ装置において、
前記ステージ制御装置は、前記ステージの前記モータを駆動する指令電圧標準データと、前記モータに一定速度の出力を与える様に予め測定した指令電圧出力タイミング補正データと、少なくとも前記指令電圧標準データおよび前記指令電圧出力タイミング補正データから前記モータを駆動する指令電圧を生成する指令電圧生成部を有するステージ装置である。
【００４１】
また、本発明の第５の態様は、観察サンプルを載置する可動テーブルをモータにより駆動するステージと、前記ステージを駆動するステージ制御装置を有するステージ装置において、
前記ステージ制御装置は、前記ステージの前記モータを駆動する指令電圧標準データと、前記モータに一定速度の出力を与える様に予め測定した指令電圧出力タイミング補正データと、少なくとも前記指令電圧標準データおよび前記指令電圧出力タイミング補正データから指令電圧出力タイミングを変化させた、前記モータを駆動する指令電圧を生成する指令電圧生成部を有するステージ装置である。
【００４２】
また、本発明の第５の態様は、観察サンプルを載置する可動テーブルをモータにより駆動するステージと、前記ステージを駆動するステージ制御装置を有するステージ装置において、
前記ステージ制御装置は、前記ステージの前記モータを駆動する指令電圧標準波形データと、前記モータに一定速度の出力を与える様に予め測定した指令電圧出力タイミング補正データと、少なくとも前記指令電圧標準波形データおよび前記指令電圧出力タイミング補正データから前記モータを駆動する指令電圧を生成する指令電圧生成部を有するステージ装置である。
【００４３】
好ましくは、前記ステージ装置は、前記指令電圧出力タイミング補正データに基づいて、一定出力タイミングで前記モータに与えられ前記モータの出力を一定速度とする指令電圧補正波形データを生成し、前記指令電圧生成部は前記指令電圧標準波形データおよび前記指令電圧補正波形データから前記モータを駆動する指令電圧を生成する。
【符号の説明】
【００４４】
１  ピエゾステージ
１０１  可動テーブル
１０２  ウォーキング型ピエゾモータ
１０３  固定子
２  モータ駆動部
３  ステージ制御装置
３０１  コマンド処理部
３０２  指令電圧生成部
３０３  指令電圧出力部
３０４  指令電圧標準波形データ
３０５  指令電圧出力タイミング補正データ
３０６  指令電圧補正波形データ
４  補正データ生成部
５  測定データ処理部
６  上位計算機
７  ピエゾ素子
８  固定子
１０  観察サンプル
１１  対物レンズ
１２  ＸＹステージ
１３  可動テーブル
１４  ＳＥＭ
Ｃ  測定装置
【図１】
0005840404.tif 000002
【図２】
0005840404.tif 000003
【図３】
0005840404.tif 000004
【図４】
0005840404.tif 000005
【図５】
0005840404.tif 000006
【図６】
0005840404.tif 000007
【図７】
0005840404.tif 000008
【図８】
0005840404.tif 000009
【図９】
0005840404.tif 000010
【図１０】
0005840404.tif 000011
【図１１】
0005840404.tif 000012